(57)【特許請求の範囲】
【請求項１】
それぞれ円盤状記録媒体を回転自在に収納する４枚のカートリッジが、平面的に２行２列で配列される配列形態で収納可能とされ、上記カートリッジにそれぞれ収納された円盤状記録媒体のうち、１枚の円盤状記録媒体に対して選択的に情報信号の記録及び／又は再生を行う円盤状記録媒体用の記録及び／又は再生装置に搭載されるものであって、
少なくとも上記情報信号の記録及び／又は再生の対象となっている円盤状記録媒体の番号やタイトル等の属性がキャラクタ表示されるキャラクタ表示領域を有する表示装置において、
上記キャラクタ表示領域に加えて、
上記円盤状記録媒体用の記録及び／又は再生装置に収納された複数のカートリッジの平面的に２行２列で配列される配列形態と、上記記録及び／又は再生装置へのカートリッジの収納状態がグラフィック表示されるグラフィック表示領域を有することを特徴とする表示装置。
【請求項２】
上記カートリッジがその収納する円盤状記録媒体を露出させるための開閉シャッタを備え、
上記グラフィック表示領域が、上記複数のカートリッジの収納状態として上記開閉シャッタを模した線図を表示することを特徴とする請求項１記載の表示装置。
【請求項３】
それぞれ円盤状記録媒体を回転自在に収納する４枚のカートリッジが、平面的に２行２列で配列される配列形態で収納可能とされ、上記カートリッジにそれぞれ収納された円盤状記録媒体のうち、１枚の円盤状記録媒体に対して選択的に情報信号の再生を行い、この再生にかかる情報信号を複数のスピーカから音声出力する円盤状記録媒体用の再生装置と、
少なくとも上記複数のスピーカからの音声出力による音像の定位を、選択された音響聴取ポジションに合わせる音場制御装置を具備した音響装置に搭載されるものであって、
少なくとも上記情報信号の再生の対象となっている円盤状記録媒体の番号やタイトル等の属性がキャラクタ表示されるキャラクタ表示領域を有する表示装置において、
上記キャラクタ表示領域に加えて、
上記カートリッジの平面的に２行２列で配列される配列形態と、上記円盤状記録媒体用の再生装置へのカートリッジの収納状態を表示するグラフィック表示と、上記音場制御装置にて音場制御される上記音響聴取ポジションの配列状態を表示するグラフィック表示とが兼用とされたグラフィック表示領域を有することを特徴とする表示装置。
【請求項４】
上記音響聴取ポジションの配列状態を表示するグラフィック表示には、車両のダッシュボードを示すダッシュボードシンボルが表示されることを特徴とする請求項３記載の表示装置。
【請求項５】
上記グラフィック表示領域は、上記情報信号の記録及び／又は再生の対象となっている円盤状記録媒体に対応した部分のグラフィック表示が、他の円盤状記録媒体と対応する部分のグラフィック表示と色別表示されることを特徴とする請求項１〜４のいずれか１記載の表示装置。
【発明の詳細な説明】
【０００１】
【産業上の利用分野】
本発明は、複数枚の円盤状記録媒体、例えば光ディスクが所定の配列形態で収納され、これら複数枚の光ディスクのうち、１枚の光ディスクに対して選択的に情報信号の記録及び／又は再生を行う記録及び／又は再生装置に搭載され、少なくとも情報信号の記録及び／又は再生の対象となっている光ディスクの番号やタイトル等の属性がキャラクタ表示されるキャラクタ表示領域を有する表示装置に関し、特に車載用オーディオセットの表示装置に用いて好適なものである。
【０００２】
また、本発明は、上記光ディスクに対して情報信号の再生を行って、複数のスピーカから音声出力する再生装置と、この複数のスピーカからの音声出力の位相を選択された音響聴取ポジションに合わせる音場制御装置（音場プロセッサー）を具備した音響装置に搭載され、少なくとも情報信号の記録及び／又は再生の対象となっている光ディスクの番号やタイトル等の属性がキャラクタ表示されるキャラクタ表示領域を有する表示装置に関し、特に車載用オーディオセットの表示装置に用いて好適なものである。
【０００３】
【従来の技術】
車載用オーディオセットは、カセットデッキやチューナーに加えて光ディスク用の再生装置等も搭載されて多機能化している。特に、光ディスク用の再生装置は、複数枚の光ディスクを装填することができるマガジンを有し、このマガジンに装填された複数枚の光ディスクを選択的に再生することができる、いわゆるチェンジャーが主流となってきている。
【０００４】
このチェンジャーのマガジンとしては、例えば図６に示すように、６枚の光ディスクＤを装填できるマガジン１０１を例にとった場合、６枚の光ディスクＤを、それぞれの板面を水平方向にした状態で、かつ縦方向に互いに間を空けて積み重ねた状態で装填できる形となっている。
【０００５】
そして、上記チェンジャーの再生操作を行う操作パネルには、各種操作キーが配列され、これら操作キーの操作によって選択された光ディスクＤの番号やタイトルがキャラクタ表示される、例えば液晶ディスプレイ等で構成された表示板が具備され、この表示板の表示領域に表示されている番号やタイトルを目視することにより、現在、どの光ディスクＤが選択されているかが確認できるようになっている。
【０００６】
従来の表示板の表示領域に表示される表示形態の一例を図７に示す。この表示形態は、チェンジャーのマガジン１０１に装填された光ディスクＤの枚数に対応した数のマークＭが例えば表示領域の上部において、横方向一列に配列されたかたちで表示され、更に、各マークＭに連続番号が付されて、装填枚数が簡単に確認できるようになっている。
【０００７】
また、マガジン１０１に対して６枚の光ディスクＤをすべて装填せずに、例えば４枚の光ディスクＤを装填した場合、マークＭに付されている番号中、装填されていない枚数目に対応する番号が消灯して表示され、これにより、マガジン１０１に装填した光ディスクＤの装填状態を簡単に確認できるようになっている。
【０００８】
【発明が解決しようとする課題】
ところで、従来の表示板に表示されるマークＭの表示形態は、チェンジャーのマガジン１０１に装填される光ディスクＤの配列形態とは一致していない。例えば、図６に示すように、６枚の光ディスクＤを縦方向に積み重ねて装填することができるマガジン１０１に対しても、その表示板の表示領域に表示される形態は、図７に示すように、チェンジャーに装填された光ディスクＤの枚数に対応した数のマークＭが横方向一列に配列されたものとなっている。
【０００９】
この場合、例えば４枚目の光ディスクＤと、番号「４」が付されたマークＭとが数字上一致しているのみである。従って、現在再生されている光ディスクＤが何枚目の光ディスクＤかを確認するには、キャラクタ表示されている番号やタイトルで判断するしかなく、どの光ディスクＤが再生されているかを直感的に知ることができないという問題があった。
【００１０】
部屋等の中で、上記チェンジャーを使用する分には何ら支障はないのであるが、自動車を運転するという状況下において、例えば現在、何枚目の光ディスクＤが再生されているかを何度も表示板を見ながら確認しなければならないとなると、チェンジャーに対する操作が非常に煩わしく感じてしまい、その結果、チェンジャーの使用頻度が低下し、車載用のチェンジャーに対する購買意欲が低下するという問題が生じる。
【００１１】
また、現在の車室内に設置される上記チェンジャー等を含む音響装置（即ち、カーオーディオ）においては、残響音の制御によって、狭い車室内に広い音響空間をつくり、しかも４チャンネルスピーカから出力される音量バランス及び音声出力の位相遅延の調整によって音像の定位の改善等を行うことができる音場プロセッサを組み込むように設計されている。
【００１２】
特に、上記音場プロセッサにおいて、４チャンネルスピーカから出力される音量バランス及び音声出力の位相遅延の調整による音像の定位の改善は、通常、車室内における４つのシートの中央に設定される。しかし、現在では、その聴取ポジション（シートポジション）を選択することによって、その選択されたシートポジションにおける音像の定位の改善を図ることができるようになっている。即ち、４チャンネルスピーカからの音声出力の位相を選択されたシートポジションに合わせるようにしている。
【００１３】
この場合、上記シートポジションの選択は、操作パネルにある例えば数字キーを操作することにより行われる。シートポジションと数字は、直接な相関性はなく、実際には、操作者がシートポジションに対応した数字を覚えて操作するのが一般的となっている。
【００１４】
従って、この音場プロセッサに対する操作においても、音場をコントロールしたいシートポジションが直感的に知ることができず、また、現在どのシートポジションが音場コントロールの対象になっているか直感的に知ることができず、実質的に音場プロセッサの操作が面倒になるという問題がある。
【００１５】
これを解決するために、例えばシートをイメージするマーク（以下、単にシートマークと記す）を２行２列に配列して車内のシートの配列に似せた表示を行い、この２行２列のシートマークの表示に基づいて、シートポジションを設定するという手法が考えられる。しかし、車載用の音響装置は、狭い車室内に設置されることから、その操作パネルの大きさに制約を受け、同時に、この操作パネルに設けられる表示板の表示領域も操作パネルに合わせて小さく設定されている。
【００１６】
従って、表示板の狭い表示領域に、上記チェンジャーの操作に用いられる光ディスクの番号やタイトル、光ディスクＤの装填状態を示す複数のマーク及び音場プロセッサの操作に用いられる２行２列に配された４つのシートマークをすべて表示することは、物理的にも不可能であり、表示できたとしても、各表示サイズが小さくなり、非常に見ずらいものとなる。
【００１７】
本発明は、上記の課題に鑑みてなされたもので、その目的とするところは、複数枚の光ディスクを選択的に再生する装置、いわゆるチェンジャーに適用した場合において、例えば現在、再生されている光ディスクが何枚目の光ディスクかを直感的に知ることができ、車室内でのチェンジャーの利用率を向上させることができる表示装置を提供することにある。
【００１８】
また、本発明の他の目的は、４枚の光ディスクを選択的に再生する装置、いわゆる４枚チェンジャーに適用した場合において、例えば現在、再生されている光ディスクが何枚目の光ディスクかを直感的に知ることができ、車室内でのチェンジャーの利用率を向上させることができる表示装置を提供することにある。
【００１９】
また、他の発明の目的は、上記４枚チェンジャーと音場制御装置を具備した音響装置に適用した場合において、例えば現在、再生されている光ディスクが何枚目の光ディスクかを直感的に知ることができると共に、例えば現在、音像の定位の対象となっているシートポジションを直感的に知ることができ、車室内での上記音響装置の利用率を向上させることができる表示装置を提供することにある。
【００２０】
また、他の発明の他の目的は、上記４枚チェンジャーの操作に使用される操作画面と上記音場制御装置の操作に使用される操作画面の共用を図ることができ、狭い表示領域に有効に上記２種類の操作画面を表示させることができる表示装置を提供することにある。
【００２１】
【課題を解決するための手段】
上述したような目的を達成するために提案される本発明は、それぞれ円盤状記録媒体を回転自在に収納する４枚のカートリッジが、平面的に２行２列で配列される配列形態で収納可能とされ、上記カートリッジにそれぞれ収納された円盤状記録媒体のうち、１枚の円盤状記録媒体に対して選択的に情報信号の記録及び／又は再生を行う円盤状記録媒体用の記録及び／又は再生装置に搭載されるものであって、少なくとも上記情報信号の記録及び／又は再生の対象となっている円盤状記録媒体の番号やタイトル等の属性がキャラクタ表示されるキャラクタ表示領域を有する表示装置において、上記キャラクタ表示領域に加えて、上記円盤状記録媒体用の記録及び／又は再生装置に収納された複数のカートリッジの平面的に２行２列で配列される配列形態と、上記記録及び／又は再生装置へのカートリッジの収納状態がグラフィック表示されるグラフィック表示領域を有する。
【００２２】
本発明に用いられるカートリッジは、その収納する円盤状記録媒体を露出させるための開閉シャッタを備え、上記グラフィック表示領域が、上記複数のカートリッジの収納状態として上記開閉シャッタを模した線図を表示する。
【００２３】
また、本発明は、それぞれ円盤状記録媒体を回転自在に収納する４枚のカートリッジが、平面的に２行２列で配列される配列形態で収納可能とされ、上記カートリッジにそれぞれ収納された円盤状記録媒体のうち、１枚の円盤状記録媒体に対して選択的に情報信号の再生を行い、この再生にかかる情報信号を複数のスピーカから音声出力する円盤状記録媒体用の再生装置と、少なくとも上記複数のスピーカからの音声出力による音像の定位を、選択された音響聴取ポジションに合わせる音場制御装置を具備した音響装置に搭載されるものであって、少なくとも上記情報信号の再生の対象となっている円盤状記録媒体の番号やタイトル等の属性がキャラクタ表示されるキャラクタ表示領域を有する表示装置において、上記キャラクタ表示領域に加えて、上記カートリッジの平面的に２行２列で配列される配列形態と、上記円盤状記録媒体用の再生装置へのカートリッジの収納状態を表示するグラフィック表示と、上記音場制御装置にて音場制御される上記音響聴取ポジションの配列状態を表示するグラフィック表示とが兼用とされたグラフィック表示領域を有する。
なお、上記音響聴取ポジションの配列状態を表示するグラフィック表示には、車両のダッシュボードを示すダッシュボードシンボルが表示すようにしてもよい。
【００２４】
本発明に係る表示装置において、上記グラフィック表示領域における表示形態として、上記情報信号の記録及び／又は再生の対象となっている円盤状記録媒体に対応した部分のグラフィック表示を、他の円盤状記録媒体と対応する部分のグラフィック表示と色別表示するようにしてもよい。
【００２５】
【作用】
本発明に係る表示装置においては、キャラクタ表示領域に、少なくとも情報信号の記録及び／又は再生の対象となっている円盤状記録媒体の番号やタイトル等の属性、あるいはＴＯＣデータがキャラクタ表示され、グラフィック表示領域に、それぞれ円盤状記録媒体を回転自在に収納する複数枚のカートリッジの配列形態と、円盤状記録媒体用の記録及び／又は再生装置への上記カートリッジの収納状態がグラフィック表示される。
【００２６】
従って、このグラフィック表示領域に表示されている円盤状記録媒体を収納したカートリッジの配列形態及びカートリッジの収納状態のグラフィック表示を見ることにより、直感的に何枚のカートリッジがどの部分に収納されているかを知ることができる。
【００２７】
特に、情報信号の記録及び／又は再生の対象となっている円盤状記録媒体に対応した部分のグラフィック表示が、他の円盤状記録媒体と対応する部分のグラフィック表示と色別表示されることにより、キャラクタ表示領域に表示されている円盤状記録媒体に関する番号やタイトル等の属性やＴＯＣデータを見なくとも、現在、どの円盤状記録媒体が記録及び／又は再生されているかを瞬時に確認することができる。
【００２８】
これにより、車載用の記録及び／又は再生装置における表示装置に適用した場合、現在、何枚目の円盤状記録媒体が再生されているかを瞬時に確認することができ、記録及び／又は再生装置に対する操作に煩わしさは生じなくなる。
【００２９】
また、本発明においては、キャラクタ表示領域に、少なくとも情報信号の記録及び／又は再生の対象となっている円盤状記録媒体の番号やタイトル等の属性がキャラクタ表示され、グラフィック表示領域に、円盤状記録媒体用の記録及び／又は再生装置に収納されたカートリッジが平面的に２行２列で配列される配列形態と円盤状記録媒体用の記録及び／又は再生装置へのカートリッジの収納状態がグラフィック表示されることになる。
【００３０】
従って、このグラフィック表示領域に表示されているカートリッジの配列形態及びカートリッジの収納状態のグラフィック表示を見ることにより、直感的に何枚のカートリッジが２行２列のどの部分に収納されているかを知ることができる。
【００３１】
特に、この場合も、情報信号の記録及び／又は再生の対象となっている円盤状記録媒体に対応した部分のグラフィック表示が、他の円盤状記録媒体と対応する部分のグラフィック表示と色別表示されることにより、キャラクタ表示領域に表示されている円盤状記録媒体に関する番号やタイトル等の属性を見なくとも、現在、どの円盤状記録媒体が記録及び／又は再生されているかを瞬時に確認することができる。
【００３２】
また、本発明に係る他の表示装置においては、キャラクタ表示領域に、少なくとも情報信号の記録及び／又は再生の対象となっている円盤状記録媒体の番号やタイトル等の属性がキャラクタ表示され、グラフィック表示領域に、上記円盤状記録媒体を収納したカートリッジの平面的に２行２列で配列される配列形態と円盤状記録媒体用の記録及び／又は再生装置へのカートリッジの収納状態のグラフィック表示と、少なくとも複数のスピーカからの音声出力による音像の定位を、選択された音響聴取ポジションに合わせる音場制御装置にて音場制御される音響ポジションの配列状態のグラフィック表示とが選択的に表示されることになる。
【００３３】
従って、グラフィック表示領域に、カートリッジの配列形態及びカートリッジの収納状態がグラフィック表示されている場合においては、そのグラフィック表示を見ることにより、直感的に何枚のカートリッジが２行２列のどの部分に収納されているかを知ることができる。一方、グラフィック表示領域に、音場制御装置における音響聴取ポジションの配列状態がグラフィック表示されている場合においては、そのグラフィック表示を見ることにより、実際の音響聴取ポジションの配列を直感的に知ることができる。
【００３４】
また、記録及び／又は再生装置に関する上記カートリッジの配列状態及び収納状態のグラフィック表示と、音場制御装置にて音場制御される音響聴取ポジションのグラフィック表示とをそれぞれ別の領域に表示する必要がなくなり、表示領域の有効利用を図ることができる。
【００３５】
【実施例】
以下、本発明に係る表示装置を図１〜図５を参照しながら説明する。なお、本発明に係る表示装置の説明に先だって、本発明に係る表示装置が適用される車載用音響装置の概略構成について説明する。
【００３６】
本発明に係る表示装置が適用される車載用音響装置は、それぞれ光ディスク、例えば再生専用型光ディスクや書き込み可能型光磁気ディスク等が回転自在に収納された複数枚のディスクカートリッジが所定の配列形態で収納され、これら複数枚のディスクカートリッジのうち、１枚のディスクカートリッジに収納された光ディスクに対して選択的に情報信号の再生を行い、この再生にかかる情報信号を４つのスピーカ（４チャンネルスピーカ）から音声出力する光ディスク再生装置と、残響音の制御によって狭い車室内に広い音響空間をつくり、しかも４チャンネルスピーカから出力される音量バランス及び音声出力の位相遅延の調整によって音像の定位の改善等を行う音場プロセッサを有している。
【００３７】
上記光ディスク再生装置は、図１に示すように、最大で４枚のディスクカートリッジ１がそれぞれ平面的に２行２列の配列形態で装填されるマガジン２が着脱口３を介して装着される再生装置本体４と、この再生装置本体４の前面にヒンジ（図示せず）によって上記着脱口３に対して開閉自在とされた操作パネル５を有する。
【００３８】
再生装置本体４は、図示しないが、その内部に回転テーブルが例えばシャーシに対して回転自在に取り付けられている。この回転テーブルは、その上面に１つのスピンドルモータと１つの光学ピックアップが取り付けられている。これらのスピンドルモータ及び光学ピックアップは、再生装置本体４への電源投入によって、回転テーブルが初期回転することにより、所定位置（ホーム位置）に停止される。そして、複数枚のディスクカートリッジ１が装填されたマガジン２を、着脱口３を通して再生装置本体４内に挿入すると、図１の拡大図上、２行１列目に装填されているディスクカートリッジ１に対応した位置（配列番号「１」で示す位置）、特に、ディスクカートリッジ１に取り付けられた開閉シャッタが開かれることによって、内部の光ディスクが一部露出した部分に対応した位置にそれぞれスピンドルモータと光学ピックアップが位置することになる。
【００３９】
上記スピンドルモータは、その上端に、選択されたディスクカートリッジ１の光ディスクが装着されるターンテーブルが固着されている。また、光学ピックアップは、その内部に、少なくとも光ディスクに記録されている情報信号を光学的に読み出すためのレーザビームを出射するレーザ光源と、このレーザ光源からのレーザビームを光ディスクの記録面に集光させる対物レンズと、光ディスクの記録面にて反射された反射光を電気信号（検出信号）に光電変換するフォトディテクタが組み込まれて構成されている。また、対物レンズは２軸アクチュエータによってフォーカス調整及びトラッキング調整が行われる。
【００４０】
また、光学ピックアップは、リニアモータを主体とする既知のスライド機構によって、スピンドルモータのターンテーブルに装着された光ディスクの径方向に移動可能とされている。
【００４１】
この再生装置本体４の再生回路系を図２を参照しながら説明すると、この再生回路系は、この再生装置本体４内に挿入されたマガジン２に装填されているディスクカートリッジ１を例えば光学的に検出するカートリッジ検出回路１１と、回転テーブルを一方向に回転駆動する回転テーブル駆動回路１２と、回転テーブルの回転位置（回転角）を検出する回転位置検出回路１３とを有する。回転テーブル駆動回路１２は、まず、電源投入に基づく後述する表示装置における制御部５７からの起動信号の入力に基づいて回転テーブルを回転駆動して、光学ピックアップ１４及びスピンドルモータ１５をホーム位置、即ち図１の拡大図上、２行１列目に装填されているディスクカートリッジ１に対応した位置に停止させる。
【００４２】
カートリッジ検出回路１１からの検出信号は、後述する制御部５７に供給される。この制御部５７は、供給された検出信号に基づいてフラグ情報を作成し、データ登録用メモリ５８に格納する。このカートリッジ検出回路１１からの検出信号は、上記回転テーブル駆動回路１２にも供給される。この回転テーブル駆動回路１２は、供給された検出信号を保持し、この保持した検出信号の内容に応じた回転テーブルの回転駆動制御を行う。即ち、ディスクカートリッジ１が装填されていない部分に、スピンドルモータ１５や光学ピックアップ１４が位置しないようにスキップさせながら回転テーブルを回転駆動する。
【００４３】
また、上記回転テーブル駆動回路１２は、制御部５７からの番号データに基づいて、回転テーブルを一方向に回転させて、光学ピックアップ１４及びスピンドルモータ１５をその番号データに対応するディスクカートリッジ１に対応した位置に停止させる。この場合、入力された番号データに基づいて、メモリ１６内の回転角データテーブルからその番号データに対応する回転角データを読み出し、回転位置検出回路１３からシリーズに送られてくる回転クロック信号を計数して、この計数値が上記読み出した回転角データと一致したとき、回転テーブルを停止させるなどの手法を採用することができる。
【００４４】
また、上記再生回路系は、上記で示した回路のほかに、スピンドルモータ１５をサーボ制御するスピンドルサーボ制御回路１７と、光学ピックアップ１４の上記二次元アクチュエータをサーボ制御して対物レンズのフォーカス調整及びトラッキング調整を行うフォーカス／トラッキングサーボ制御回路１８と、光学ピックアップ１４からの検出信号に基づいてスピンドルサーボ制御用のエラー信号、フォーカスサーボ制御用のエラー信号及びトラッキングサーボ制御用のエラー信号をそれぞれ生成するエラー信号生成回路１９と、光学ピックアップ１４からの検出信号をディジタル信号に変換し、更にエラー訂正用に付加された符号等を復号処理して再生データとして出力する復調系２０と、この復調系２０からの再生データをアナログ信号に変換した後、Ｒ−Ｌ分離してそれぞれＲ側の音声信号及びＬ側の音声信号として出力するＰ−Ｌ分離回路２１と、上記復調系２０からの再生データからＴＯＣデータを抽出するＴＯＣデータ抽出回路２２と、上記復調系２０からの再生データからトラックアドレスデータを抽出するアドレスデータ抽出回路２３とを有して構成されている。
【００４５】
上記ＴＯＣデータ抽出回路２２からのＴＯＣデータは、後述する制御部５７を通じてデータ登録用メモリ５８内に論理的に割り付けられたＴＯＣデータファイルに格納される。
【００４６】
また、上記回転テーブル駆動回路１２は、回転テーブルを一方向に回転させて、光学ピックアップ１４及びスピンドルモータ１５を、入力された番号データに対応するディスクカートリッジ１に対応した位置に停止させたとき、スピンドルモータ１５を上下方向に移動させる既知の上下移動機構に起動信号を出力する。上下移動機構は、回転テーブル駆動回路１２からの起動信号の入力に基づいて、スピンドルモータ１５を例えば上方向に移動させて、光ディスクをスピンドルモータ１５のターンテーブルに装着させる。
【００４７】
上記回転テーブル駆動回路１２からの起動信号は、スピンドルサーボ制御回路１７及び光学ピックアップ１４にも供給される。スピンドルサーボ制御回路１７は、回転テーブル駆動回路１２からの起動信号の入力とターンテーブルへの光ディスクの装着完了に基づいて、スピンドルモータ１５を駆動して、ターンテーブルに装着されている光ディスクを例えばＣＡＶ（回転角一定）方式にて回転させる。光学ピックアップ１４は、回転テーブル駆動回路１２からの起動信号の入力に基づいて起動され、レーザビームを回転する光ディスクの記録面に照射しながら光ディスクの径方向に移動することによって、光ディスクの記録面に記録されている情報信号を順次再生する。
【００４８】
一方、Ｒ−Ｌ分離回路２１から出力されるＲ側音声信号及びＬ側音声信号は、後述する音場プロセッサ４１に供給される。
【００４９】
操作パネル５は、図３に示すように、その前面中央に表示画面３１が配され、この表示画面３１を中心としてその下部の位置にテン・キー３２が横一列に配列されている。このテン・キー３２が配列されている部分の図中左側の位置には、音場プロセッサ起動用の選択ボタン３３が配されている。
【００５０】
音場プロセッサ４１は、図５に示すように、車室内の４隅にそれぞれ設置されたスピーカＳＰ1 〜ＳＰ4 と接続された４チャンネルパワーアンプ４２と上記光ディスク再生装置本体４との間に挿入接続され、その内部に、少なくともホールなどの音場データに基づいて４チャンネルの初期反射音及び残響音を生成する初期反射音／残響音生成部４１ａと、スピーカの周波数特性及び伝送特性の補正を行うグラフィック・イコライザー４１ｂと、ダイナミックレンジの縮小によるＳＮ比の改善のためのコンプレッサ４１ｃと、上記操作パネル５によって選択されたシート番号に対応するシートポジションに対して、４チャンネルスピーカＳＰ1 〜ＳＰ4 から出力される音量バランス及び音声出力の位相遅延の調整によって音像の定位の改善を行う音像処理部４ｄが組み込まれて構成されている。
【００５１】
そして、本実施例に係る表示装置は、図２に示すように、上記操作パネル５に配された表示画面３１を含む表示部５１と、この表示部５１を介して画面表示するための表示データを生成する表示処理回路系５２とから構成されている。
【００５２】
表示部５１は、例えば１つの液晶ディスプレイから構成され、その表示画面３１が２つの表示領域３１ａ及び３１ｂに区分されている。１つの表示領域３１ａは、文字や数字等が表示されるキャラクタ表示領域であり、他の表示領域３１ｂは、図３に示すように、ディスクカートリッジ１の外形に模したシンボルマーク（以下、便宜的にカートリッジシンボルと記す）ＳＭ1や、図４に示すように、車室内のダッシュボードの形に模したシンボルマーク（以下、便宜的にダッシュボードシンボルと記す）ＳＭ2及び後部シートの後ろにある棚の形に模したシンボルマーク（以下、便宜的に後部棚シンボルと記す）ＳＭ3が表示されるグラフィック表示領域である。このグラフィック表示領域３１ｂは、表示部５１の表示画面３１上、左側の部分、ちょうどテン・キー３２のキー「１」に対応する部分に配されている。この表示画面３１の背景色は、白に設定されてある。
【００５３】
カートリッジシンボルＳＭ1は、光ディスク再生装置に挿入されるマガジン２に装填されるディスクカートリッジ１の数に対応して４つ表示され、更にこれら４つのカートリッジシンボルＳＭ1は、マガジン２に装填されるディスクカートリッジ１の配列形態と対応させて２行２列の配列形態となっている。即ち、各カートリッジシンボルＳＭ1は、それぞれマガジン２に装填されたディスクカートリッジ１に対応したシンボル形態となっている。
【００５４】
また、このカートリッジシンボルＳＭ1は、音場コントロールモードにしないとき、即ち操作パネル５上の選択ボタン３３を操作しないときには、図３に示すように、外形線図ａとディスクカートリッジ１の開閉シャッタに模した線図ｂ及び円形の線図ｃがそれぞれ組み合わされたシンボル形態となっている。上記円形の線図ｃ内には、マガジン２に装填されたディスクカートリッジ１の配列番号（図１参照）が表示された形となっている。
【００５５】
なお、ディスクカートリッジ１が装填されていない部分に対応するカートリッジシンボルＳＭ1は、外形線図ａだけの表示となっている。この例では、配列番号「２」に対応したカートリッジシンボルＳＭ1がその対象となっている。
【００５６】
一方、音場コントロールモードにしたとき、即ち操作パネル５上の選択ボタン３３を操作したときには、図４に示すように、２行２列に配されたカートリッジシンボルＳＭ1群の上部にダッシュボードシンボルＳＭ2が表示されると共に、上記カートリッジシンボルＳＭ1群の下部に後部棚シンボルＳＭ3が表示される。このとき、各カートリッジシンボルＳＭ1にはすべて配列番号が付加されたシンボル形態となっている。
【００５７】
また、この表示装置においては、現在、再生中の光ディスクに対応したカートリッジシンボルＳＭ1の一部がカラー表示されるようになっている。この例では、再生中の光ディスクに対応したカートリッジシンボルＳＭ1の、外形線図ａ内の領域中、円形線図ｃ内及び開閉シャッタに模した線図ｂ内を除く部分が、例えば青色に表示される（斜線で示す）ようになっている。
【００５８】
本発明に係る表示装置の表示処理回路系５２は、図２に示すように、再生の対象となっているディスクカートリッジの配列番号、光ディスクのタイトル、現在再生中のトラック及び再生時間に関するキャラクタデータを作成するキャラクタデータ処理回路５３と、ＲＯＭ５４に登録されているカートリッジシンボルＳＭ1に関する固定データ（この場合、外形線図ａに関するデータ）を読み出して、この読み出した固定データからグラフィック表示領域３１ｂに所定の配列形態、即ち２行２列で表示させるための外形配置データを作成し、更にこの作成された外形配置データに、開閉シャッタに模した線図ｂに関するデータや配列番号データ及びカラー表示を選択的に組み込んで実際にグラフィック表示領域３１ｂに表示されるべきグラフィックデータを作成するグラフィックデータ処理回路５５と、このグラフィックデータ処理回路５５からのグラフィックデータと、上記キャラクタデータ処理回路５３からのキャラクタデータを合成して、上記グラフィックデータを表示部５１のグラフィック表示領域３１ｂに表示し、上記キャラクタデータを表示部５１のキャラクタ表示領域３１ａに表示させる表示処理回路５６と、操作パネル５上の各種キー操作に基づいて各種回路を制御する制御部５７を有して構成されている。
【００５９】
次に、この音響装置、特に本発明に係る表示装置の動作を光ディスク再生装置と音場プロセッサの動作と共に説明する。
【００６０】
まず、この音響装置に電源が投入されると、この電源投入に基づいて制御部５７から起動信号が回転テーブル駆動回路１２に供給される。回転テーブル駆動回路１２は、制御部５７からの起動信号の入力に基づいて回転テーブルを回転駆動して、光学ピックアップ１４及びスピンドルモータ１５をホーム位置、即ち図１の拡大図上、２行１列目（配列番号１で示す）に装填されている光ディスクに対応した位置に停止させる。
【００６１】
次に、例えば配列番号「２」に対応する部分にディスクカートリッジ１を装填せずに残りの配列番号「１」、「３」及び「４」に対応した部分にそれぞれディスクカートリッジ１を装填したマガジン２を、着脱口３を通して再生装置本体４内に挿入すると、カートリッジ検出回路１１にてマガジン２に装填されたカートリッジ１の装填状態が光学的に検出され、この検出信号１１が制御部５７及び回転テーブル駆動回路１２に供給される。制御部５７は、カートリッジ検出回路１１からの検出信号をデータ登録用メモリ５８にフラグ情報として格納する。一方、回転テーブル駆動回路１２は、上記カートリッジ検出回路１１からの検出信号を回転スキップ用の情報として保持する。
【００６２】
次に、制御部５７は、データ登録用メモリ５８からフラグ情報を読み出して、グラフィックデータ処理回路５５に供給する。グラフィックデータ処理回路５５は、制御部５７からのフラグ情報に基づいて、グラフィックデータを作成する。この場合のグラフィックデータは、配列番号「２」に対応したカートリッジシンボルが外形線図ａだけの表示で、あとの配列番号「１」、「３」及び「４」に対応したカートリッジシンボルＳＭ1がそれぞれ外形線図ａと開閉シャッタを模した線図ｂと円形線図ｃが組み合わされた表示となるグラフィックデータである。
【００６３】
このグラフィックデータは、表示処理回路５６を介して表示部５１のグラフィック表示領域３１ｂに表示される。
【００６４】
その後、回転テーブル駆動回路１２からの起動信号に基づいて、まず、配列番号「１」に対応する光ディスクのＴＯＣデータが再生され、制御部５７を介してデータ登録用メモリ５８のＴＯＣデータファイル中、配列番号「１」に対応するアドレスの領域に格納される。
【００６５】
次に、回転テーブル駆動回路１２は、回転テーブルを回転させることにより、スピンドルモータ１５及び光学ピックアップ１４を、配列番号「３」のディスクカートリッジ１に対応する位置に移動させ、同様に、この配列番号「３」に対応する光ディスクのＴＯＣデータを再生する。このＴＯＣデータは、フラグ情報に基づく制御部の制御によって、データ登録用メモリ５８のＴＯＣデータファイル中、配列番号「３」に対応するアドレスの領域に格納される。なお、配列番号「２」に関しては、ディスクカートリッジ１が装填されていないため、回転テーブル駆動回路１２にてスキップされる。
【００６６】
次に、回転テーブル駆動回路１２は、再び回転テーブルを回転させることにより、スピンドルモータ１５及び光学ピックアップ１４を、今度は、配列番号「４」のディスクカートリッジ１に対応する位置に移動させ、同様に、この配列番号「４」に対応する光ディスクのＴＯＣデータを再生する。このＴＯＣデータは、フラグ情報に基づく制御部５７の制御によって、データ登録用メモリ５８のＴＯＣデータファイル中、配列番号「４」に対応するアドレスの領域に格納される。
【００６７】
次に、例えば配列番号「４」に対応する光ディスクを再生するために、テン・キー３２中、番号「４」のキーを操作する。このキー入力データは制御部５７に供給される。制御部５７は、供給されたキー入力データを回転テーブル駆動回路１２に出力する。
【００６８】
回転テーブル駆動回路１２は、入力されたキー入力データに基づいて、回転テーブルを回転させて、スピンドルモータ１５と光学ピックアップ１４を、そのキー入力データが示す番号に対応した配列番号（この場合、配列番号「４」）のディスクカートリッジ１に対応した位置に移動させ、対象の光ディスクに対して情報信号の再生を行う。
【００６９】
制御部５７からのキー入力データは、表示装置の表示処理回路系５２におけるキャラクタデータ処理回路５３とグラフィックデータ処理回路５５にも供給される。キャラクタデータ処理回路５３は、供給されたキー入力データに基づいて、データ登録用メモリ５８の配列番号「４」に関するＴＯＣデータから光ディスクのタイトルデータと演奏時間データを読み出し、これらタイトルデータ及び演奏時間データと、光ディスク再生装置におけるアドレスデータ抽出回路２３から供給されるトラックアドレスデータを表示処理回路５６に供給する。一方、グラフィックデータ処理回路５５は、供給されたキー入力データに基づいて、上記作成したグラフィックデータに配列番号「４」に対応したカートリッジシンボルＳＭ1をカラー表示するための組込みデータを付加して表示処理回路５６に供給する。
【００７０】
表示処理回路５６は、キャラクタデータ処理回路５３及びグラフィックデータ処理回路５５からそれぞれ供給されたキャラクタデータ及びグラフィックデータを合成して、キャラクタ表示領域３１ａにキャラクタデータを表示し、グラフィック表示領域３１ａにグラフィックデータを表示する。
【００７１】
これによって、キャラクタ表示領域３１ａに、ディスクのタイトル、配列番号、トラック番号及び演奏時間が表示され、グラフィック表示領域３１ｂに、配列番号「２」に対応したカートリッジシンボルＳＭ1が外形線図ａだけで、あとの配列番号「１」、「３」及び「４」に対応したカートリッジシンボルＳＭ1がそれぞれ外形線図ａと開閉シャッタを模した線図ｂと円形線図ｃが組み合わされたもの、更に配列番号「４」に対応したカートリッジシンボルＳＭ1のみがカラー表示された形のものが表示される。
【００７１】
なお、キャラクタ表示領域３１ａに表示されているキャラクタデータ中、ディスクのタイトル及び配列番号は、テン・キー３２による配列番号の入力操作によって変更され、トラック番号は、再生装置本体４での光ディスクの再生に伴うトラックアドレス更新が、アドレスデータ抽出部２３を介してキャラクタデータ処理部５３に入力されることによって更新され、演奏時間は、タイマー５９からキャラクタデータ処理部５３に順次入力されるクロック信号の秒単位の計数更新に伴って更新される。
【００７２】
また、グラフィック表示領域３１ｂに表示されているグラフィックデータ中、再生対象となっているカートリッジシンボルＳＭ1のカラー表示は、テン・キー３２による配列番号の入力操作によって変更される。
【００７３】
次に、例えば上記配列番号「４」に対応する光ディスクが再生されている状態において、操作パネル５上の選択ボタン３３を押すと、音響装置が音場制御のモードに移る。この選択ボタン３３を操作することによって発生したオン信号は、制御部５７に供給される。制御部５７は、このオン信号の供給に基づいて、データ登録用メモリ５８内の状態フラグ情報を検索し、現在、音場コントロールモード中であることを示すビットが立っていない場合、そのビットを立て、表示装置におけるグラフィックデータ処理回路５５と音場プロセッサ４１に、音場コントロール指示信号を出力する。音場プロセッサ４１は、制御部５７からの音場コントロール指示信号の入力に基づいてデータ入力を許可する。
【００７４】
表示装置におけるグラフィックデータ処理回路５５は、制御部５７からの音場コントロール指示信号の入力に基づいて、ＲＯＭ５４からダッシュボードシンボルＳＭ2と後部棚シンボルＳＭ3に関するデータを読み出して、上記作成したグラフィックデータに付加し、更に、すべての配列番号を各カートリッジシンボルＳＭ1に付加したデータを作成して表示処理回路５６に供給する。
【００７５】
従って、この場合、グラフィック表示領域３１ｂには、２行２列に配されたカートリッジシンボルＳＭ1群の上部にダッシュボードシンボルＳＭ2が表示されると共に、上記カートリッジシンボルＳＭ1群の下部に後部棚シンボルＳＭ3が表示され、更に各カートリッジシンボルＳＭ1，ＳＭ2及びＳＭ3にそれぞれ対応する配列番号が表示される。
【００７６】
このグラフィック表示領域３１ｂに表示されているカートリッジシンボルＳＭ1は、車室内に設置されている座席の配列に似たかたちとなっており、ここで、例えば音像を運転席に合わせたいときは、運転席に対応した配列位置にあるカートリッジシンボルＳＭ1の配列番号である「３」をテン・キー３２を用いて入力することにより行われる。
【００７７】
即ち、テン・キー３２によるキー入力データは、キー入力状態となっている音場プロセッサ４１の音像処理部４１ｄに供給される。この音像処理部４１ｄには、メモリが組み込まれており、このメモリには、配列番号と実際のシートポジションとの対応表がデータテーブルとして登録されている。そして、この音像処理部４１ｄは、テン・キー３２を通じて入力されたキー入力データが示す配列番号と上記データテーブルの配列番号とを照合して実際のシートポジションを割り出し、この割り出したシートポジションに対して音像の定位の改善を行う。
【００７８】
その後、再び選択ボタン３３を操作すると、選択ボタン３３の操作に伴うオン信号が再び制御部５７に供給される。制御部５７は、データ登録用メモリ５８内の上記状態フラグ情報のビット状態を検索する。このとき、最初の選択ボタン３３の操作によって、音場コントロールモード中であることを示すビットが立てられているため、制御部５７は、このビットを反転処理し、表示装置におけるグラフィックデータ処理回路５５と音場プロセッサ４１に、音場コントロール解除信号を出力する。音場プロセッサ４１は、制御部５７からの音場コントロール解除信号の入力に基づいてデータ入力を禁止する。
【００７９】
表示装置におけるグラフィックデータ処理回路５５は、制御部５７からの音場コントロール解除信号の入力に基づいて、現在表示されているグラフィックデータからダッシュボードシンボルＳＭ2と後部棚シンボルＳＭ3に関するデータを消去し、更に現在表示されているマガジン２に装填されていないカートリッジシンボルＳＭ1の配列番号を消去したグラフィックデータを作成して表示処理回路５６に供給する。
【００８０】
従って、この場合、上記音場コントロールモード中においてグラフィック表示領域３１ｂに表示されていたカートリッジシンボルＳＭ1群の上部及び下部のダッシュボードシンボルＳＭ2及び後部棚シンボルＳＭ3が消去されると共に、マガジン２に装填されていないディスクカートリッジ１に対応した配列番号が消去される。
【００８１】
このように、上記実施例に係る表示装置においては、キャラクタ表示領域３１ａに、再生対象となっている光ディスクに関するディスクカートリッジ１の配列番号やタイトル等の属性がキャラクタ表示され、グラフィック表示領域３１ｂに、４枚のディスクカートリッジ１がマガジン２に装填された際の配列形態が、２行２列で配列された４つのカートリッジシンボルＳＭ1で表示され、光ディスク再生装置本体４内に挿入されるマガジン２へのディスクカートリッジ１の装填状態が、各カートリッジシンボルＳＭ1の選択的な線図表示によって表されることになるため、このグラフィック表示領域３１ｂに表示されているディスクカートリッジ１の配列形態及びディスクカートリッジ１の装填状態のグラフィック表示を見ることにより、直感的に何枚のディスクカートリッジ１が２行２列のどの部分に装填されているかを知ることができる。
【００８２】
特に、再生対象となっている光ディスクに関するディスクカートリッジ１に対応した部分のグラフィック表示（カートリッジシンボルＳＭ1）が、他のディスクカートリッジ１と対応する部分のグラフィック表示（カートリッジシンボルＳＭ1）と色別表示されるため、キャラクタ表示領域３１ａに表示されているディスクカートリッジ１に関する配列番号やタイトル等の属性を見なくとも、現在、どのディスクカートリッジ１に関する光ディスクが再生されているかを瞬時に確認することができる。
【００８３】
また、上記４つのカートリッジシンボルＳＭ1の表示形態は、車室内の座席の配列に似たところがあり、音場コントロールモードにおいて、音像の定位の改善（音像処理）を図るために、その対象のシートポジションを選択操作する際、上記２行２列に配されたカートリッジシンボルＳＭ1を見るだけで、直感的にその対象シートポジションを確認することができ、音場プロセッサーの操作性が飛躍的に向上する。
【００８４】
【発明の効果】
上述のように、本発明に係る表示装置によれば、それぞれ円盤状記録媒体を回転自在に収納する４枚のカートリッジが、平面的に２行２列で配列される配列形態で収納可能とされ、上記カートリッジにそれぞれ収納された円盤状記録媒体のうち、１枚の円盤状記録媒体に対して選択的に情報信号の記録及び／又は再生を行う円盤状記録媒体用の記録及び／又は再生装置に搭載されるものであって、少なくとも上記情報信号の記録及び／又は再生の対象となっている円盤状記録媒体の番号やタイトル等の属性、あるいはＴＯＣデータがキャラクタ表示されるキャラクタ表示領域を有する表示装置において、上記キャラクタ表示領域に加えて、上記円盤状記録媒体用の記録及び／又は再生装置に収納された複数のカートリッジの平面的に２行２列で配列される配列形態と、上記記録及び／又は再生装置へのカートリッジの収納状態がグラフィック表示されるグラフィック表示領域を有するので、それぞれ円盤状記録媒体を回転自在に収納する４枚のカートリッジに収納された上記円盤状記録媒体を選択的に再生する装置に適用した場合において、例えば現在、再生されている円盤状記録媒体が何枚目のカートリッジに収納されている円盤状記録媒体かを直感的に知ることができ、車室内での上記装置の利用率を向上させることができる。
【００８５】
また、本発明に係る表示装置によれば、それぞれ円盤状記録媒体を回転自在に収納する４枚のカートリッジが、平面的に２行２列で配列される配列形態で収納可能とされ、上記カートリッジにそれぞれ収納された円盤状記録媒体のうち、１枚の円盤状記録媒体に対して選択的に情報信号の再生を行い、この再生にかかる情報信号を複数のスピーカから音声出力する円盤状記録媒体用の記録及び／又は再生装置と、少なくとも上記複数のスピーカからの音声出力による音像の定位を、選択された音響聴取ポジションに合わせる音場制御装置を具備した音響装置に搭載されるものであって、少なくとも上記情報信号の再生の対象となっている円盤状記録媒体の番号やタイトル等の属性がキャラクタ表示されるキャラクタ表示領域を有する表示装置において、上記キャラクタ表示領域に加えて、上記カートリッジの平面的に２行２列で配列される配列形態と、上記円盤状記録媒体用の再生装置へのカートリッジの収納状態を表示するグラフィック表示と、上記音場制御装置にて音場制御される上記音響聴取ポジションの配列状態を表示するグラフィック表示とが兼用とされたグラフィック表示領域を有することにより、円盤状記録媒体用の再生装置と音場制御装置を具備した音響装置に適用した場合において、例えば現在、再生されている円盤状記録媒体が何枚目のカートリッジに収納された円盤状記録媒体かを直感的に知ることができると共に、例えば現在、音場制御装置による音場制御の対象となっているシートポジションを直感的に知ることができ、車室内での上記音響装置の利用率を向上させることができる。
【図面の簡単な説明】
【図１】本発明に係る表示装置が適用される光ディスク再生装置の概略構成を示す斜視図及びマガジンへのディスクカートリッジの配列状態を示す拡大図である。
【図２】上記光ディスク再生装置の再生回路系と実施例に係る表示装置の表示処理回路系を示すブロック図である。
【図３】本発明に係る表示装置の表示画面への表示形態、特に音場コントロールモードでないときの表示形態を示す正面図である。
【図４】本発明に係る表示装置の表示画面への表示形態、特に音場コントロールモードであるときの表示形態を示す正面図である。
【図５】音場プロセッサの構成を示すブロック図である。
【図６】一般的な６枚チェンジャー用のマガジンの構成を示す斜視図である。
【図７】従来例の表示装置の表示形態を示す正面図である。
【符号の説明】
１  ディスクカートリッジ、  ２  マガジン、  ４  光ディスク再生装置本体、  ５  操作パネル、  ３１  表示画面、  ３１ａ  キャラクタ表示領域、  ３１ｂ、  グラフィック表示領域、  ＳＭ1   カートリッジシンボル、  ａ  外形線図、  ｂ  開閉シャッタに模した線図、  ｃ  円形線図、  ＳＭ2   ダッシュボードシンボル、  ＳＭ3   後部棚シンボル、  ３２  テン・キー、  ３３  選択ボタン、  ５１  表示部、  ５２  表示処理回路系、  ５３  キャラクタデータ処理回路、  ５４  ＲＯＭ、  ５５  グラフィックデータ処理回路、  ５６  表示処理回路、  ５７  制御部、  ５８  データ登録用メモリ
【図１】
0003550693.tif 000002
【図２】
0003550693.tif 000003
【図３】
0003550693.tif 000004
【図４】
0003550693.tif 000005
【図５】
0003550693.tif 000006
【図６】
0003550693.tif 000007
【図７】
0003550693.tif 000008